(57)【要約】      （修正有）【課題】光を反射している生体箇所がずれた場合であっても、位置ずれ前まで測定していた生体情報と位置ずれ後に測定する生体情報との連続性を保つことができる生体情報測定装置及び生体情報測定方法を提供する。【解決手段】生体情報測定装置１００は、生体に光を照射する発光部１２１と、生体を撮像して生体から反射した光を受光する受光部１２２と、測定開始時に受光部が撮像した生体画像における一部領域の特定領域画像と比較することにより、受光部が撮像した生体画像から特定領域を検出する画像処理部１３０と、画像処理部が検出した特定領域の画像に関する情報を生体情報に変換する生体情報変換部１５０と、を備える。【選択図】図３
2016093219.tif 000002
【特許請求の範囲】
【請求項１】
生体に光を照射する発光部と、
前記生体を撮像して前記生体から反射した光を受光する受光部と、
測定開始時に前記受光部が撮像した生体画像における一部領域の特定領域画像と比較することにより、前記受光部が撮像した生体画像から特定領域を検出する画像処理部と、
前記画像処理部が検出した特定領域の画像に関する情報を生体情報に変換する生体情報変換部と、
を備えることを特徴とする生体情報測定装置。
【請求項２】
前記画像処理部は、測定開始時に前記受光部が撮像した生体画像の中心にある領域の画像を特定領域画像とする
ことを特徴とする請求項１に記載の生体情報測定装置。
【請求項３】
前記画像処理部は、生体情報の変化が大きい領域の画像を特定領域画像とする
ことを特徴とする請求項１に記載の生体情報測定装置。
【請求項４】
前記画像処理部は、前記生体画像の中心に近い領域の画像を特定領域画像とする
ことを特徴とする請求項３に記載の生体情報測定装置。
【請求項５】
生体情報測定装置における生体情報測定方法であって、
生体に光を照射する発光過程と、
前記生体を撮像して前記生体から反射した光を受光する受光過程と、
測定開始時に前記受光過程が撮像した生体画像における一部領域の特定領域画像と比較することにより、前記受光過程が撮像した生体画像から特定領域を検出する画像処理過程と、
前記画像処理過程が検出した特定領域の画像に関する情報を生体情報に変換する生体情報変換過程と、
を有することを特徴とする生体情報測定方法。
【発明の詳細な説明】
【技術分野】
【０００１】
本発明は、生体情報測定装置及び生体情報測定方法に関する。
【背景技術】
【０００２】
従来から、生体情報の測定結果への外乱光の影響を低減する測定装置がある。特許文献１に記載の技術では、発光体１００Ｒ，１００Ｂから照射する光が人体に反射して、受光部２００Ｒ，２００Ｂに入射される。受光部２００Ｒ，２００Ｂは発光体１００Ｒ，１００Ｂが発光している時と発光体１００Ｒ，１００Ｂが停止している時の両方の期間で光を受光する。測定装置は、発光部が停止している時の受光部２００Ｒ(赤色)と２００Ｂ(青色)の出力レベルを比較して、外来光が蛍光灯か太陽光かを判定し、蛍光灯であれば受光部２００Ｒの信号を有効とし、太陽光ならば受光部２００Ｂの信号を有効とする。
【先行技術文献】
【特許文献】
【０００３】
【特許文献１】特開２０１１−２１２３８７号公報
【発明の概要】
【発明が解決しようとする課題】
【０００４】
しかしながら、特許文献１に記載の技術では、バンドの緩みなどで、測定装置の位置がずれると、光を反射している(人体の)箇所がずれるため、位置ずれ前まで測定していた生体情報と位置ずれ後に測定する生体情報との連続性が失われる、という問題があった。
【０００５】
本発明は上記の点に鑑みてなされたものであり、光を反射している生体箇所がずれた場合であっても、位置ずれ前まで測定していた生体情報と位置ずれ後に測定する生体情報との連続性を保つことができる生体情報測定装置及び生体情報測定方法を提供することを課題とする。
【課題を解決するための手段】
【０００６】
（１）本発明は上記の課題を解決するためになされたものであり、本発明の第１の態様は、生体に光を照射する発光部と、前記生体を撮像して前記生体から反射した光を受光する受光部と、測定開始時に前記受光部が撮像した生体画像における一部領域の特定領域画像と比較することにより、前記受光部が撮像した生体画像から特定領域を検出する画像処理部と、前記画像処理部が検出した特定領域の画像に関する情報を生体情報に変換する生体情報変換部と、を備えることを特徴とする生体情報測定装置である。
【０００７】
（２）また、本発明の第２の態様は、生体情報測定装置における生体情報測定方法であって、生体に光を照射する発光過程と、前記生体を撮像して前記生体から反射した光を受光する受光過程と、測定開始時に前記受光過程が撮像した生体画像における一部領域の特定領域画像と比較することにより、前記受光過程が撮像した生体画像から特定領域を検出する画像処理過程と、前記画像処理過程が検出した特定領域の画像に関する情報を生体情報に変換する生体情報変換過程と、を有することを特徴とする生体情報測定方法である。
【発明の効果】
【０００８】
本発明によれば、光を反射している生体箇所がずれた場合であっても、位置ずれ前まで測定していた生体情報と位置ずれ後に測定する生体情報との連続性を保つことができる。
【図面の簡単な説明】
【０００９】
【図１】本発明の第１の実施形態に係る生体情報測定装置の外観構成図である。
【図２】第１の実施形態に係る生体情報測定装置ハードウェア構成の一例を示すハードウェア構成図である。
【図３】第１の実施形態に係る生体情報測定装置の機能構成を示すブロック図である。
【図４】第１の実施形態に係る生体画像における特定領域の一例を示すイメージ図である。
【図５】第１の実施形態に係る生体情報測定装置における生体情報測定方法を説明するための図である。
【図６】第１の実施形態に係る生体情報測定装置の測定処理の一例を示すフローチャートである。
【図７】本発明の第２の実施形態に係る生体情報測定装置が特定領域を選定する方法を説明するための図である。
【図８】第２の実施形態に係る生体情報測定装置の測定処理の一例を示すフローチャートである。
【発明を実施するための形態】
【００１０】
以下、図面を参照しながら本発明の実施形態について詳しく説明する。
（第１の実施形態）
まず、本発明の第１の実施形態について説明する。
図１は、本実施形態に係る生体情報測定装置１００の外観構成図である。
生体情報測定装置１００は、利用者の生体情報を測定する腕時計型の携帯端末装置である。生体情報は、例えば、生体における脈波である。生体情報測定装置１００は、光電センサ１２０で、生体に光を照射してその反射光を電気信号に変換することにより、反射式の光電式脈波を測定する。血液に含まれるヘモグロビンは、光を吸収する特性（吸光特性）があるため、光を照射したときの生体の反射光は、血流容量に伴い変化するヘモグロビン量に応じて変化する。このため、生体情報測定装置１００は、反射光を電気信号に変換することで脈波を測定できる。
【００１１】
生体情報測定装置１００は、表示部１１０と光電センサ１２０とを装置筐体１８０に備え、装着ベルト１９０により利用者の腕に固定される。表示部１１０は、液晶ディスプレイ（ＬＣＤ、Ｌｉｑｕｉｄ  Ｃｒｙｓｔａｌ  Ｄｉｓｐｌａｙ）や有機ＥＬ（Ｅｌｅｃｔｒｏ−Ｌｕｍｉｎｅｓｃｅｎｃｅ）ディスプレイであり、情報を表示する。例えば、表示部１１０は、生体情報の測定結果や、測定部位の画像、測定状況に伴う利用者への通知等を表示する。光電センサ１２０は、発光部１２１と、受光部１２２とを含んで構成される。発光部１２１は、光を照射するＬＥＤ（Ｌｉｇｈｔ  Ｅｍｉｔｔｉｎｇ  Ｄｉｏｄｅ）である。受光部１２２は、発光部１２１が照射した光の反射光を受光するカメラセンサである。カメラセンサは、フォトダイオードやフォトトランジスタを複数並べて構成される。フォトダイオードやフォトトランジスタは、受光した光に応じて電流が流れる素子である。生体情報測定装置１００は、光電センサ１２０を利用者の肌に密着させて使用される。装着ベルト１９０は、生体情報測定装置１００を利用者の腕に固定するためのベルトである。
【００１２】
図２は、本実施形態に係る生体情報測定装置１００のハードウェア構成の一例を示すハードウェア構成図である。
生体情報測定装置１００は、ＣＰＵ１０１（Ｃｅｎｔｒａｌ  Ｐｒｏｃｅｓｓｉｎｇ  Ｕｎｉｔ：中央演算処理装置）と、入力部１０４と、出力部１０５と、ＲＯＭ１０６（Ｒｅａｄ  Ｏｎｌｙ  Ｍｅｍｏｒｙ：ロム）と、ＲＡＭ１０７（Ｒａｎｄｏｍ  Ａｃｃｃｅｓｓ  Ｍｅｍｏｒｙ：ラム）と、補助記憶部１０８と、通信部１０９と、を備える。
ＣＰＵ１０１と、入力部１０４と、出力部１０５と、ＲＯＭ１０６と、ＲＡＭ１０７と、補助記憶部１０８と、通信部１０９とは、バスＢ（母線）を介して相互に接続される。
【００１３】
ＣＰＵ１０１は、補助記憶部１０８が記憶するプログラム、ＲＯＭ１０６及びＲＡＭ１０７が記憶する各種データを読み出して実行し、生体情報測定装置１００の各部を制御する。入力部１０４は、マウス、キーボード、タッチパネルなどの入力装置である。出力部１０５は、表示部、スピーカなどの出力装置である。ＲＯＭ１０６、ＲＡＭ１０７は、各種データを一時的に記憶する。補助記憶部１０８は、フラッシュメモリなどであり、上述した生体情報測定装置１００の各機能部を動作させるためのプログラム、各種データを記憶する。通信部１０９は、通信インターフェースを有し、有線又は無線によりネットワークＮＷに接続される。
【００１４】
次に、本実施形態による生体情報測定装置１００の機能構成について説明する。
図３は、本実施形態に係る生体情報測定装置１００の機能構成を示すブロック図である。
生体情報測定装置１００は、表示部１１０と、光電センサ１２０と、画像処理部１３０と、記憶部１４０と、生体情報変換部１５０と、表示制御部１６０と、を含んで構成される。
【００１５】
表示部１１０は、出力部１０５であり、ＣＰＵ１０１によりその表示内容が制御される。光電センサ１２０は、発光部１２１と受光部１２２とを含んで構成される。発光部１２１は、生体に光を照射する。受光部１２２は、生体を撮像し、撮像した画像（以下、生体画像とする）を記憶部１４０に書き込んで格納する。生体画像は、利用者の皮膚表面の画像、或いは、静脈の画像である。撮像される生体画像は、生体情報へと変換される特定領域に対して、広い範囲で撮像される。皮膚表面の画像とは、一般的な格子状の皮膚の模様で、その模様を撮像した画像である。静脈の画像は、発光する光が赤外光などである場合は、皮膚内部の静脈が撮像されるため、この撮像の画像である。
【００１６】
画像処理部１３０は、ＣＰＵ１０１又はハードウェア処理により構成される。画像処理部１３０は、測定開始時に受光部１２２が撮像した生体画像の一部画像である特定領域画像を記憶部１４０に書き込んで格納する。具体的には、画像処理部１３０は、測定開始時に受光部１２２が撮像した生体画像の中心にある領域の画像を特定領域画像とする。そして、画像処理部１３０は、格納した特定領域画像と比較することにより、受光部１２２が次々に撮像する生体画像からそれぞれ特定領域を検出する。特定領域は、生体画像の一部領域であって、その画像に関する情報を生体情報に変換するための生体領域である。
【００１７】
記憶部１４０は、ＲＯＭ１０６又はＲＡＭ１０７により構成され、種々の情報を記憶する。記憶部１４０は、生体画像及び特定領域画像を記憶する。
【００１８】
生体情報変換部１５０は、ＣＰＵ１０１又はハードウェア処理により構成され、画像処理部１３０が検出した特徴領域の画像から輝度情報を算出し、輝度情報の総加算を算出することで、画像に関する情報を生体情報に変換する。輝度情報とは、画像データにおける明るさ成分のことである。輝度情報は、血流に伴い変化するため、脈波などの生体情報として利用することができる。表示制御部１６０は、表示部１１０に表示する情報を制御する。
【００１９】
次に、本実施形態による生体情報測定方法について説明する。
図４は、本実施形態に係る生体画像Ｇにおける特定領域Ａ１の一例を示すイメージ図である。生体画像Ｇは、皮膚表面を横６４０ピクセル×縦４８０ピクセルの範囲で撮像したものである。特定領域Ａ１は、生体画像Ｇの一部領域であって、測定開始時における生体画像Ｇの中心にある横１６０ピクセル×縦１２０ピクセルの長方形の領域である。
【００２０】
図５は、本実施形態に係る生体情報測定装置１００における生体情報測定方法を説明するための図である。
図５（ａ）は、生体情報の測定開始時における特定領域Ａ１の位置を示す。図示するように、測定開始時における特定領域Ａ１は、生体画像Ｇの中心にある。
【００２１】
図５（ｂ）は、生体情報測定装置１００の位置がずれて受光部１２２の撮像する撮像範囲が範囲Ｐ１から範囲Ｐ２にずれた場合における特定領域Ａ１の位置を示す。範囲Ｐ１は、図５(ａ)に示す測定開始時における受光部１２２の撮像範囲である。図示するように、撮像範囲がずれると、生体画像Ｇにおける特定領域Ａ１も中心位置Ｃからずれる。このため、画像処理部１３０は、生体画像Ｇから特定領域Ａ１を検索して検出する。そして、生体情報変換部１５０は、画像処理部１３０が検出した特定領域Ａ１から生体情報を生成する。これにより、生体情報測定装置１００がずれた場合であっても、同一の生体領域（特定領域Ａ１）から生体情報を測定することができるため、測定した生体情報の連続性を保つことができる。
【００２２】
具体的には、画像処理部１３０は、測定開始時における特定領域Ａ１の皮膚の格子模様、或いは、静脈の模様を示す特定領域画像を記憶部１４０に書き込んで格納する。画像処理部１３０は、次々と撮像される生体画像Ｇの中から、記憶している特定領域画像の模様と同じ模様を検出することで毎度撮像される生体画像Ｇから、常時一定の生体領域（特定領域Ａ１）を検出する。以下、このように次々と撮像される生体画像Ｇから特定領域Ａ１の位置を特定することを一致する領域の検出という。画像処理部１３０は、一般的なパターンマッチング法などにより特定領域Ａ１と一致する領域を検出する。なお、一般的に別々に撮像される２つの画像において、全く同じ画素情報を持つことはない。このため、画像処理部１３０は、２つの画像の画素ごとの差異が最小になる領域を、特定領域Ａ１と一致する領域とする。また、生体画像Ｇの中に特定領域Ａ１が含まれないことも想定される。そのため、画像処理部１３０は、差異の値に閾値を設け、最小となった領域での差異が閾値以下である場合に、特定領域Ａ１と一致すると判定する。一方、画像処理部１３０は、最小となった領域での差異が閾値より大きい場合には、特定領域Ａ１と一致する領域がないと判定する。
【００２３】
生体情報変換部１５０は、生体画像Ｇのうち特定領域Ａ１と一致した領域の画像データにおいて、その輝度成分を算出し、輝度情報の総加算を算出することにより生体情報を生成する。
【００２４】
図６は、本実施形態に係る生体情報測定装置１００の測定処理の一例を示すフローチャートである。本図に示す処理は、利用者が生体情報測定装置１００を腕等に装着して生体情報の測定を開始したときに実行される。
【００２５】
ステップＳ１０１において、光電センサ１２０が生体画像Ｇを取得する。具体的には、まず、発光部１２１が、生体情報測定装置１００を装着した利用者の生体表面に対して光を照射する。照射された光は、生体に一部吸光されるなどして反射する。受光部１２２は、反射した光をカメラセンサにて取得し、取得した生体画像Ｇを記憶部１４０に書き込んで記憶する。その後、ステップＳ１０２の処理に進む。
【００２６】
ステップＳ１０２において、画像処理部１３０は、ステップＳ１０１において取得した生体画像Ｇから、図４に示すような中心位置の画像を、特定領域Ａ１の特定領域画像Ａとして抽出し、抽出した特定領域画像Ａを記憶部１４０に書き込んで記憶する。その後、ステップＳ１０３の処理に進む。
【００２７】
ステップＳ１０３において、生体情報変換部１５０は、ステップＳ１０２において記憶した特定領域画像Ａにおける輝度情報を総加算して、生体情報に変換する。その後、ステップＳ１０４の処理に進む。
ステップＳ１０１〜Ｓ１０３までの処理は、特定領域画像Ａを取得するための初期動作である。ここで、特定領域画像Ａは、以降の一致する領域を検出するために比較される基準画像となる。このため、表示制御部１６０は、表示部１１０に、そのユーザにできるだけ動かないように促す通知を表示する。
【００２８】
ステップＳ１０４において、光電センサ１２０が、新たな生体画像Ｇを取得し、取得した生体画像Ｇを記憶部１４０に書き込んで記憶する。その後、ステップＳ１０５の処理に進む。
ステップＳ１０５において、画像処理部１３０は、ステップＳ１０４において取得した生体画像Ｇと、特徴領域画像Ａとを比較し、パターンマッチング法により特徴領域画像Ａと一致する領域を生体画像Ｇから検出する。その後、ステップＳ１０６の処理に進む。
【００２９】
ステップＳ１０６において、画像処理部１３０は、ステップＳ１０５において、特徴領域画像Ａと一致する領域が生体画像Ｇにあったか否かを判定する。特徴領域画像Ａと一致する領域が生体画像Ｇにある場合にはステップＳ１０８の処理に進む。一方、特徴領域画像Ａと一致する領域がない場合にはステップＳ１０７の処理に進む。一致する領域がない場合とは、例えば、Ｓ１０１〜Ｓ１０３の初期動作の時に装着していた位置と大きく生体情報測定装置１００の装着状態がずれてしまったなどの理由で、特徴領域画像Ａと同じ模様の画像を検出できなかった場合である。
【００３０】
ステップＳ１０７において、画像処理部１３０は、一致する領域が検出されなかった（未検出）ことを記憶部１４０に記録する。表示制御部１６０は、当該記録を参照して、一致する領域の未検出が、連続したり、頻発したりしたときに、装着状態の見直しを利用者に通知する表示を表示部１１０にする。
【００３１】
ステップＳ１０８において、生体画像Ｇの一致した領域において、一致した領域分（ここでは１６０ピクセル×１２０ピクセル）の輝度情報の総加算を算出して、生体情報へと変換する。その後、ステップＳ１０９の処理に進む。
ステップＳ１０９において、生体情報の測定が終了したか否かを判定する。生体情報測定装置１００は、ユーザによる停止指示、或いは、測定開始から所定時間後などに生体情報の測定を終了する。生体情報の測定が終了していない場合にはステップＳ１０４の処理に戻り、更に生体情報の測定を行う。一方、生体情報の測定が終了した場合には、生体情報の測定処理を終了する。
以下、ステップＳ１０４〜Ｓ１０９までの処理を、処理フロー[Ｉ]とする。
【００３２】
このように、本実施形態によれば、生体情報測定装置１００は、生体に光を照射する発光部１２１と、生体を撮像して生体から反射した光を受光する受光部１２２と、測定開始時に受光部１２２が撮像した生体画像における一部領域の特定領域画像と比較することにより、受光部１２２が撮像した生体画像から特定領域を検出する画像処理部１３０と、画像処理部１３０が検出した特定領域の画像に関する情報を生体情報に変換する生体情報変換部１５０と、を備える。
【００３３】
これにより、生体情報測定装置１００は、装着位置がずれて光を反射している生体箇所がずれた場合であっても、位置がずれる前に生体情報を取得していた特徴領域から引き続き生体情報を取得するため、位置ずれ前まで測定していた生体情報と位置ずれ後に測定する生体情報との連続性を保つことができる。
【００３４】
（第２の実施形態）
次に、本発明の第２の実施形態について説明する。
本実施形態における生体情報測定装置１００の構成は、図１から図３に示す第１の実施形態における構成と同様であるため、その説明を省略する。第１の実施形態では、測定開始時における生体画像Ｇの中心にある領域を特定領域Ａ１としているが、本実施形態では、測定開始時に生体情報を最も効果的に取得できる領域を探索し、その領域を特定領域Ａ１とする点で異なる。具体的には、本実施形態による画像処理部１３０は、生体情報の変化が大きな領域であって、生体画像Ｇの中心に近い領域の画像を特徴領域画像Ａとする。生体情報測定装置１００の他の構成は、第１の実施形態と同様であるため、その説明を省略する。
【００３５】
図７は、本実施形態に係る生体情報測定装置１００が特定領域Ａ１を選定する方法を説明するための図である。
まず、光電センサ１２０は、測定開始時から所定時間分の生体画像Ｇを記憶部１４０に書き込んで格納する。これは、最初に所定時間分の生体画像Ｇを取得することによって、その複数の生体画像Ｇから、生体情報が大きく変化する領域を検索するためである。ここで、脈波の場合、その振幅の変化は概ね１秒以内の周期となるため、所定時間は、３秒間や５秒間などの時間である。次に、生体情報変換部１５０は、記憶部１４０に格納された複数の生体画像Ｇから、領域毎に生体情報を算出する。具体的には、生体情報変換部１５０は、図７（ａ）に示すように、生体画像Ｇの左上の位置における横１６０ピクセル×縦１２０ピクセルの領域で生体情報を算出する。生体情報変換部１５０は、生体情報を、記憶部１４０に格納された複数の生体画像Ｇの同じ左上の領域において全て算出する。そして、生体情報変換部１５０は、複数の全生体画像Ｇに渡って、同じ左上の領域での生体情報の変化量（最大値と最小値との差）を算出する。
【００３６】
続いて、生体情報変換部１５０は、図７（ｂ）のように生体画像Ｇ上における１６０ピクセル×１２０ピクセルの領域を右側に１ピクセルずらし、上記同様に、複数の全生体画像Ｇに渡って、同じ領域での生体情報の変化量を算出する。そして、生体情報変換部１５０は、図７（ｃ）に示すように、この処理を、生体画像Ｇの右下の１６０ピクセル×１２０ピクセルの領域に至るまで、右に１ピクセルずつずらし、右端まで来たら下に１ピクセルずらして、再度左端まで戻り、再度右端までという領域の移動を繰り返し、生体画像Ｇの各領域における生体情報の変化量を比較する。生体情報変換部１５０は、算出した変化量が大きく、かつ、横６４０ピクセル×縦４８０ピクセルの生体画像Ｇの中心位置に近い領域を、特定領域Ａ１として検出する。ここで、例えば、変化量の大きな領域を選択する場合、最も大きな変化量と最も小さな変化量の差を算出し、その差の９割以上の変化量を持つ領域を選択する。また、選択された大きな生体情報の変化量を持つ領域のうち、中心位置に近い領域を優先するのは、本生体情報測定装置１００の画像のずれを追従できる機能を、上下左右に最も効率よく機能させるためである。
【００３７】
図８は、本実施形態に係る生体情報測定装置１００の測定処理の一例を示すフローチャートである。本図に示す処理は、利用者が生体情報測定装置１００を腕等に装着して生体情報の測定を開始したときに実行される。
【００３８】
ステップＳ２０１において、光電センサ１２０が生体画像Ｇを取得する。具体的には、まず、発光部１２１が、生体情報測定装置１００を装着した利用者の生体表面に対して光を照射する。照射された光は、生体に一部吸光されるなどして反射する。受光部１２２は、反射した光をカメラセンサにて取得し、取得した生体画像Ｇを記憶部１４０に書き込んで格納する。その後、ステップＳ２０２の処理に進む。
【００３９】
ステップＳ２０２において、生体情報変換部１５０は、測定開始から所定時間経過したか否かを判定する。測定開始から所定時間経過した場合には、ステップＳ２０３の処理に進む。一方、測定開始から所定時間経過していない場合には、ステップＳ２０１の処理に戻る。
【００４０】
ステップＳ２０３において、生体情報変換部１５０は、取得した複数の生体画像Ｇの各領域のうち、生体情報の変化が大きく、かつ、生体画像Ｇ全体の中心に近い領域を特定領域Ａ１に選定する。その後、ステップＳ２０４の処理に進む。
【００４１】
ステップＳ２０４において、画像処理部１３０は、ステップＳ２０１において取得した最も新しい生体画像Ｇにおいて、ステップＳ２０３において選定された特定領域Ａ１の画像を、特定領域画像Ａとして記憶部１４０に書き込んで格納する。その後、ステップＳ２０５の処理に進む。
【００４２】
ステップＳ２０５において、生体情報変換部１５０は、ステップＳ２０４において格納した特定領域画像Ａにおける輝度情報を総加算して、生体情報に変換する。
ステップＳ２０１〜Ｓ２０５までの処理は、特定領域画像Ａを取得するための初期動作である。ここで、特定領域画像Ａは、以降の一致する領域を検出するために比較される基準画像となる。このため、表示制御部１６０は、表示部１１０に、そのユーザにできるだけ動かないように促す通知を表示する。
ステップＳ２０６において、生体情報変換部１５０は、上述した第１の実施形態における処理フロー[Ｉ]を実行する。その後、処理を終了する。
【００４３】
このように、本実施形態によれば、生体情報測定装置１００は、第１の実施形態における構成に加えて、画像処理部１３０は、生体情報の変化が大きい領域であって、生体画像Ｇの中心に近い領域の画像を特徴領域画像Ａとする。これにより、生体情報測定装置１００は、第１の実施形態における効果に加えて、生体情報をより効率的に取得できる領域において生体情報を測定することができる。
【００４４】
なお、上述した実施形態における生体情報測定装置１００の一部、例えば、画像処理部１３０、生体情報変換部１５０又は表示制御部１６０をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、生体情報測定装置１００に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００４５】
以上、図面を参照してこの発明の一実施形態について詳しく説明してきたが、具体的な構成は上述のものに限られることはなく、この発明の要旨を逸脱しない範囲内において様々な設計変更等をすることが可能である。
【００４６】
例えば、上述した実施形態では、生体情報測定装置１００が測定する生体情報を脈波としたが、生体情報はこれに限らず、反射光に基づいて測定するものであればよい。
【００４７】
（１）生体に光を照射する発光部と、生体を撮像して生体から反射した光を受光する受光部と、測定開始時に受光部が撮像した生体画像における一部領域の特定領域画像と比較することにより、受光部が撮像した生体画像から特定領域を検出する画像処理部と、画像処理部が検出した特定領域の画像に関する情報を生体情報に変換する生体情報変換部と、を備えることを特徴とする生体情報測定装置。
【００４８】
（２）画像処理部は、測定開始時に受光部が撮像した生体画像の中心にある領域の画像を特定領域画像とすることを特徴とする（１）に記載の生体情報測定装置。
（３）画像処理部は、生体情報の変化が大きい領域の画像を特定領域画像とすることを特徴とする（１）に記載の生体情報測定装置。
（４）画像処理部は、生体画像の中心に近い領域の画像を特定領域画像とすることを特徴とする（３）に記載の生体情報測定装置。
【００４９】
（５）生体情報測定装置における生体情報測定方法であって、生体に光を照射する発光過程と、生体を撮像して生体から反射した光を受光する受光過程と、測定開始時に受光過程が撮像した生体画像における一部領域の特定領域画像と比較することにより、受光過程が撮像した生体画像から特定領域を検出する画像処理過程と、画像処理過程が検出した特定領域の画像に関する情報を生体情報に変換する生体情報変換過程と、を有することを特徴とする生体情報測定方法。
【符号の説明】
【００５０】
１００・・・生体情報測定装置  １１０・・・表示部、１２０・・・光電センサ、１２１・・・発光部、１２２・・・受光部、１３０・・・画像処理部、１４０・・・記憶部、１５０・・・生体情報変換部、１６０・・・表示制御部、１８０・・・装置筐体、１９０・・・装着ベルト
【図１】
2016093219.tif 000003
【図２】
2016093219.tif 000004
【図３】
2016093219.tif 000005
【図４】
2016093219.tif 000006
【図５】
2016093219.tif 000007
【図６】
2016093219.tif 000008
【図７】
2016093219.tif 000009
【図８】
2016093219.tif 000010